(57)【要約】【課題】シートを格別の注意を払うことなく単にシート挿入用開口から挿入するだけで、確実にケース内の所定位置に収めることができ、以て、シートの記入領域とケースの記入用開口とを確実に合致させることができるマークシート用ケースを提供することを課題とする。【解決手段】マークシートの各記入領域に対応する記入用開口を設けた表面板１と裏面板２とを合着して成り、表面板１と裏面板２のシート挿入用開口形成辺以外の三辺の周縁部に係合手段６、７を配設し、裏面板２に形成される係合手段６の内側を立ち上げて、シート挿入用開口及びシート収納部４を確保するための枠壁８を形成し、枠壁８の上面が当接する表面板１の天面９の周縁部に、枠壁８の上部が嵌入する溝１０を形成する。【選択図】図３
2012106407.tif 000002
【特許請求の範囲】
【請求項１】
透明プラスチック製の表面板と裏面板とを、シート挿入用開口とマークシートを収容するシート収納部を確保して合着して成り、少なくとも前記表面板に、収納するマークシートの各記入領域に対応する個所に各記入領域に対応する大きさの記入用開口を設け、前記表面板と裏面板の前記シート挿入用開口を形成する辺以外の三辺の各周縁部に、互いに係合し合う係合手段を配設し、前記裏面板に形成される前記係合手段の内側を立ち上げて、前記シート挿入用開口及びシート収納部を確保するための枠壁を形成し、前記枠壁の上面が当接する前記表面板の天面の周縁部に、前記枠壁の上部が嵌入する溝を形成したことを特徴とするマークシート用ケース。
【請求項２】
前記係合手段は、前記表面板と裏面板の前記シート挿入用開口を形成する辺以外の三辺のそれぞれに複数配設する、請求項１に記載のマークシート用ケース。
【請求項３】
前記係合手段は、前記表面板及び裏面板の各長尺辺にそれぞれ４個配設し、短尺辺に２個配設する、請求項２に記載のマークシート用ケース。
【発明の詳細な説明】
【技術分野】
【０００１】
本発明はマークシート用ケースに関するものであり、より詳細には、例えば、競馬、競輪、競艇等の公営競技の投票券（所謂、馬券、者券、車券、船券等）や、数字選択式宝くじとして用いられているマークシート方式のシートを挿入し、その挿入状態において、所望個所（記入領域）に容易、迅速且つきれいに塗りつぶす作業（マーキング）を行うことを可能にするためのマークシート用ケースに関するものである。
【背景技術】
【０００２】
最近の競馬、競輪、競艇等の公営競技の投票券（所謂、馬券、者券、車券、船券等）や数字選択式宝くじ等としては、機械による読み取り可能なマークシート方式のものが多く用いられている。このマークシートは、多数並設された小さな長方形（記入領域）の中から、所望のものを選択して塗りつぶすものであるが、この小さな記入領域をきれいに塗りつぶすことは容易なことではない。
【０００３】
そのため、この塗りつぶし作業（マーキング）を容易、迅速且つきれいに行うことを可能にするための、マークシート用ケースが種々提案されている（例えば、実開平５−２４３８３号公報、実開平５−３９９７７号公報、実開平５−５１６７７号公報、実開平５−６８６７８号公報）。これらはいずれも、透明プラスチック製で、マークシート挿入用開口とマークシート１枚が収まるサイズの収納部とを有し、その表面あるいは表裏両面の、収納するマークシートの各記入領域に対応する個所に、各記入領域に対応する大きさの記入用開口を設けたものである。
【０００４】
上記構成のマークシート用ケースの製造は、一般に、別成形した表面板２１と裏面板２２とを、シート挿入用開口形成辺以外の三辺を合着することにより行われる（図４参照）。その合着は、裏面板２２の周縁部に設けた係合孔２３に、表面板２１の周縁部に設けた係合突部２４を押し込み嵌合することにより行う。シート挿入用開口、並びに、シート収納部２７を形成するために、係合孔２３の内方側が立ち上げられて、スペーサーとして機能する枠壁２５が形成される。この枠壁２５の上面は、表面板２１の天面２６の周縁部に当接することになる。
【先行技術文献】
【特許文献】
【０００５】
【特許文献１】実開平５−２４３８３号公報
【特許文献２】実開平５−３９９７７号公報
【特許文献３】実開平５−５１６７７号公報
【特許文献４】実開平５−６８６７８号公報
【発明の概要】
【発明が解決しようとする課題】
【０００６】
上述したように、従来のマークシート用ケースにおいては、シート挿入用開口、並びに、シート収納部２７を形成するために、係合孔２３の内側にスペーサーとして機能する枠壁２５が形成され、その上面が、表面板２１の天面２６の周縁部に当接するように構成される。その場合、枠壁２５の上面が、常に表面板２１の天面２６の周縁部に密着状態に当接していれば何ら問題はないのであるが、実際には、枠壁２５の上面が表面板２１の天面２６の周縁部に密着することなく、そこに隙間ができた状態となっていることが少なくない（図４参照）。この隙間の発生は、表面板２１と裏面板２２のいずれか一方又は双方に反りがある場合に、一層助長される。
【０００７】
このように枠壁２５の上面と表面板２１の天面２６の周縁部との間に隙間があると、シート挿入用開口から挿入されたマークシート１２の端縁がその隙間に入り込みやすくなり、その結果、マークシート１２の記入領域とケースの記入用開口とが合致しなくなる不都合が生ずる。
【０００８】
本発明は、かかる不都合の発生を確実に防止するためになされたものであって、シートを格別の注意を払うことなく単にシート挿入用開口から挿入するだけで、確実にケース内の所定位置に収めることができ、以て、シートの記入領域とケースの記入用開口とを確実に合致させることができるマークシート用ケースを提供することを課題とする。
【課題を解決するための手段】
【０００９】
上記課題を解決するための請求項１に記載の発明は、透明プラスチック製の表面板と裏面板とを、シート挿入用開口とマークシートを収容するシート収納部を確保して合着して成り、少なくとも前記表面板に、収納するマークシートの各記入領域に対応する個所に各記入領域に対応する大きさの記入用開口を設け、前記表面板と裏面板の前記シート挿入用開口を形成する辺以外の三辺の各周縁部に、互いに係合し合う係合手段を配設し、前記裏面板に形成される前記係合手段の内側を立ち上げて、前記シート挿入用開口及びシート収納部を確保するための枠壁を形成し、前記枠壁の上面が当接する前記表面板の天面の周縁部に、前記枠壁の上部が嵌入する溝を形成したことを特徴とするマークシート用ケースである。
【００１０】
好ましい実施形態においては、前記係合手段は、前記表面板と裏面板の前記シート挿入用開口を形成する辺以外の三辺のそれぞれに複数配設することとし、例えば、前記係合手段は、前記表面板及び裏面板の各長尺辺にそれぞれ４個配設し、短尺辺に２個配設することとする。
【発明の効果】
【００１１】
上述したように、本発明に係るマークシート用ケースにおいては、表面板の天面の周縁部に浅い溝が形成され、枠壁の上部がこの溝内に嵌入するため、シート挿入用開口から挿入されたマークシートの両側縁は、枠壁に当たって溝内には入り込まない。そのためマークシートは、傾くことなく常にシート収納部内の定位置に収まるので、その記入領域とケースの記入用開口とが確実に合致することになる。このように、本発明によれば、シートを格別の注意を払うことなく単にシート挿入用開口から挿入するだけで、確実にケース内の所定位置に収めることができ、以て、シートの記入領域とケースの記入用開口とを確実に合致させることができる効果がある。
【００１２】
請求項２、３に係る発明においては更に、表面板及び裏面板の反りが防止されるために、枠壁の上面と溝の内底面との間に隙間が発生することが確実に防止され、以て、マークシートの端縁がその隙間に入り込み、マークシートの記入領域とケースの記入用開口とが合致しなくなる不都合が発生するおそれが皆無となる効果がある。
【図面の簡単な説明】
【００１３】
【図１】本発明に係るマークシート用ケースの外観例を示す斜視図である。
【図２】本発明に係るマークシート用ケースのシート挿入用開口側を示す図である。
【図３】本発明に係るマークシート用ケースの要部（係合手段部分）を示す断面図である。
【図４】従来のマークシート用ケースの問題点を示す断面図である。
【発明を実施するための形態】
【００１４】
以下に、本発明を実施するための形態について、添付図面に依拠して説明する。図１は、本発明に係るマークシート用ケースの外観例を示す斜視図であり、それは従来のケースと同様に、透明プラスチック製の表面板１と裏面板２とを、シート挿入用開口３とマークシート１枚が収まるサイズのシート収納部４とを確保して、合着することにより形成される。表面板１の、マークシート１２の収納時における各記入領域に対応する個所に、各記入領域に対応する大きさの記入用開口５が穿設される。表面板１のみならず裏面板２にも、同様の記入用開口５が穿設されることもある。
【００１５】
表面板１と裏面板２のシート挿入用開口３を形成する辺以外の三辺の各周縁部に、互いに係合し合う係合手段が、それぞれ複数配設される。例えば、表面板１側には係合突部７が形成され、裏面板２側には、係合突部７を押し込み係合する係合孔６が形成される。通例、係合突部７が係合後に係合孔６から脱落することを防止するために、係合孔６に段部６ａが形成され、また、係合突部７に、この段部６ａに係合する張り出し部７ａが形成される。
【００１６】
上述したように、従来のマークシート用ケースにおいては、枠壁の上面が表面板の天面の周縁部に密着せずに、そこに隙間ができた状態となっていることが少なくない。本発明者らは、この隙間は、表面板と裏面板のいずれか一方又は双方に反りがある場合に発生しやすいことを確認し、この反りの原因の一因が、表面板と裏面板を合着するための係合手段の数の少なさにあることを見出した（従来は、各合着辺に１、２か所）。そこで本発明においては、表面板１と裏面板２のシート挿入用開口３を形成する辺以外の三辺のそれぞれに複数配設することとし、例えば、表面板１及び裏面板２の各長尺辺にそれぞれ４個配設し、短尺辺に２個配設することとする（図１に符号１１で配置位置を示す）。
【００１７】
裏面板２の係合孔６の内側は若干立ち上げ、シート挿入用開口３及びシート収納部４を形成するための枠壁８となす。この枠壁８の上面は、表面板１と裏面板２の合着時に表面板１の天面９の周縁部に当接し、以て、シート挿入用開口３及びシート収納部４を形成するためのスペースを確保するよう作用する。
【００１８】
本発明においては、表面板１の天面９の周縁部に浅い溝１０を形成し、枠壁８の上面がこの溝１０内に嵌入するようにする（図３参照）。このように枠壁８の上面が溝１０内に嵌入するように構成した場合は、仮に枠壁８の上面と溝１０の内底面との間に隙間ができたとしても、シート挿入用開口３から挿入されたマークシート１２の両側縁は、枠壁８に当たり、溝１０内には入り込まない。その結果マークシート１２は、傾くことなく常にシート収納部４内の定位置に収まり、その記入領域とケースの記入用開口５とが確実に合致する。
【００１９】
殊に本発明においては、上述したように、表面板１と裏面板２を合着するための係合手段が従来の倍程度配設されるために、表面板１と裏面板２の反りの発生が防止され、その結果、枠壁８の上面と溝１０の内底面との間に隙間が発生することが一層確実に防止される。
【符号の説明】
【００２０】
１      表面板
２      裏面板
３      シート挿入用開口
４      シート収納部
５      記入用開口
６      係合孔
７      係合突部
８      枠壁
９      天面
１０      溝
１１      係合手段配置位置
１２      マークシート
【図１】
2012106407.tif 000003
【図２】
2012106407.tif 000004
【図３】
2012106407.tif 000005
【図４】
2012106407.tif 000006